(57)【要約】【課題】単純な構成によりカラーセンサーから複数色のＬＥＤの発光強度を検出し、検出値に基づいてフィードバック制御を行い、点灯後のＬＥＤの温度上昇及び経年劣化により生じる色ずれを抑制し、発光色を一定に保つＬＥＤ照明装置を提供する。【解決手段】ＬＥＤ照明装置は、発光色の異なる複数のＬＥＤ５と、このＬＥＤ５が実装された基板６と、ＬＥＤ５の発光強度を検出するカラーセンサー３ａと、基板６を格納する照明装置筐体７と、を備えている。また、基板６のＬＥＤ５が実装された面の反対側の面にカラーセンサー３ａを設け、基板６に光透過用のスリット１１を設け、照明装置筐体７は、基板６に設けられたカラーセンサー３ａ及び光透過用のスリット１１が位置する箇所に、光反射用の凹状の窪み１２を形成した。【選択図】図２
2010262868.tif 000002
【特許請求の範囲】
【請求項１】
発光色の異なる複数のＬＥＤと、このＬＥＤが実装される基板と、前記ＬＥＤの発光強度を検出する光検出素子と、前記基板を格納する照明装置筐体と、を備え、
前記光検出素子は、前記基板の前記ＬＥＤが実装された面と対向する面にその面が前記ＬＥＤの放射方向と反対の方向になるように設けられ、
前記基板は、前記光検出素子の設置位置の周囲に形成された少なくとも１つの光透過用スリットを備え、
前記照明装置筐体は、前記基板に設けられた前記光検出素子及び前記光透過用スリットが位置する箇所に、光反射用の凹状の窪みを形成したことを特徴とするＬＥＤ照明装置。
【請求項２】
前記光反射用の凹状の窪みと前記光検出素子及び前記光透過用スリットとの間に光反射板を設けたことを特徴とする請求項１記載のＬＥＤ照明装置。
【請求項３】
発光色の異なる複数のＬＥＤと、前記ＬＥＤが実装される基板と、前記ＬＥＤの発光強度を検出する光検出素子と、前記基板を格納する照明装置筐体と、を備え、
少なくとも一方の前記基板端部に外部からの光を遮断する遮光部を設け、前記光検出素子を前記遮光部内に設けることを特徴とするＬＥＤ照明装置。
【請求項４】
前記光検出素子は、前記遮光部内に位置する前記基板上に実装されることを特徴とする請求項３記載のＬＥＤ照明装置。
【請求項５】
前記遮光部内に光反射板を設けたことを特徴とする請求項３または請求項４に記載のＬＥＤ照明装置。
【請求項６】
前記遮光部内の内壁をメッキ処理したことを特徴とする請求項３または請求項４に記載のＬＥＤ照明装置。
【請求項７】
前記光検出素子は、前記基板の前記ＬＥＤが実装される面とほぼ垂直に受光面を前記ＬＥＤ側に向けて設置されることを特徴とする請求項３〜６の何れかに記載のＬＥＤ照明装置。
【請求項８】
前記光検出素子は、前記基板と対面する方向に受光面を向けた位置に設けられることを特徴とする請求項３〜６の何れかに記載のＬＥＤ照明装置。
【請求項９】
長手方向の長さが所定値以上の場合には、前記遮光部は前記基板の両端部に設けられ、
前記基板の一方の端部に設けられた第１の光検出素子と、
前記基板の他方の端部に設けられた第２の光検出素子と、
前記第１の光検出素子の出力に基づいて前記ＬＥＤをフィードバック制御し、前記第２の光検出素子の出力に基づいて前記第１の光検出素子の出力に基づくフィードバック制御とは独立して前記ＬＥＤをフィードバック制御する制御部と、を備えたことを特徴とする請求項３〜８に記載のＬＥＤ照明装置。
【請求項１０】
基板をフレキシブルな素材で構成したことを特徴とする請求項１〜９の何れかに記載のＬＥＤ照明装置。
【請求項１１】
発光色の異なる複数のＬＥＤと、前記ＬＥＤが実装される基板と、前記ＬＥＤの発光強度を検出する光検出素子と、前記基板を格納する照明装置筐体と、を備え、
前記光検出素子は前記基板の外周に沿って少なくとも１つ配置され、前記照明装置筐体は前記基板の外周に沿って前記光検出素子を覆う形状に形成されることを特徴とするＬＥＤ照明装置。
【請求項１２】
前記光検出素子は、前記基板上に実装されることを特徴とする請求項１１記載のＬＥＤ照明装置。
【請求項１３】
前記照明装置筐体の前記基板の外周に沿って前記光検出素子を覆う形状に形成部分の内側に光反射板を設けたことを特徴とする請求項１１記載のＬＥＤ照明装置。
【請求項１４】
前記光検出素子は、前記基板と対面する方向に受光面を向けた位置に設けられることを特徴とする請求項１１記載のＬＥＤ照明装置。
【請求項１５】
前記ＬＥＤに駆動電流を供給する電源回路と、
前記駆動電流を制御する制御部と、を備え、
前記光検出素子は、前記ＬＥＤの各発光色の発光強度をそれぞれ検出し、
前記制御部は、前記光検出素子の検出信号に基づいて、前記ＬＥＤの各発光色の光出力が所定の状態となるように前記駆動電流を制御することを特徴とする請求項１〜１４の何れかに記載のＬＥＤ照明装置。
【発明の詳細な説明】
【技術分野】
【０００１】
本発明は、主としてＬＥＤを用いて照明を行うＬＥＤ照明装置に関するものであり、特に白色光を発生するＬＥＤ照明装置に関する。
【背景技術】
【０００２】
近年、白熱電球や蛍光灯に変わる次世代の照明として、ＬＥＤ光源を用いたＬＥＤ照明装置が多数提案されている。このようなＬＥＤ照明装置は長寿命、省エネルギーという利点があり、今後ますます普及していくものと考えられる。
【０００３】
照明用途としてＬＥＤから白色光を得るには、一般的に白色ＬＥＤが用いられる。白色ＬＥＤは青色光を発生するＬＥＤチップに、青色光により励起される黄色蛍光体を組み合わせて、青色と黄色を混色して白色光を得ている。このような方式においては４６０ｎｍ及び５６０ｎｍ付近に波長ピークを持ち、他の波長成分が含まれない為、照らされる物質本来の色合いを再現する演色性に乏しく、また、光色が、選択する黄色蛍光体との組みあわせにより決まる為、例えば電球色、昼白色といった光色を可変するような用途には使用できない。また、黄色蛍光体による変換ロスも発生する。
【０００４】
一方、白色光を得る別の手段として、蛍光体を使用せず、赤、青、緑の光の三原色の波長を有する複数のＬＥＤのみを組み合わせて、光の三原色の混色により白色光を得る方法がある。この方法によれば黄色蛍光体による変換ロスがなく高効率で、且つ、光色を自由に設定できることから、例えば電球色、昼白色の切り替えなど、色可変による好みの色調に設定できるような照明装置への適用が可能となる。
【０００５】
しかしながら、複数色のＬＥＤを組み合わせて混色により白色光を得る方式においては、点灯後、時間経過とともに色ずれが生じる。これはＬＥＤの温度依存性がそれぞれ発光色により異なるためで、一般的にＬＥＤは通電による温度上昇に伴い、発光効率が低下して輝度が低下するが、発光色によりそれぞれ異なる割合で輝度が低下するため、初期設定時の最適な白色光または設定色を維持することができない。また、ＬＥＤの劣化速度も各発光色により異なるため、経年劣化による輝度低下も、発光色によりばらつきが生じる。このため、初期設定時の最適な白色光または設定色を維持することができず、色ずれが生じる。
【０００６】
そこで従来、『簡単な構成により、外光の影響を受けることなく、正確に光源部からの三色の均一な混色光を検出し、光源部からの光の発光色を常に最適に制御することができるようにしたカラー照明装置及びその発光色検出装置を提供することを目的とする。』とした技術で、『カラー照明装置１０における互いに異なる発光色の発光素子２１と各発光素子から出射する光を配光制御するレンズ２２とを含む光源部２０内にて、各発光色の発光素子２１からの光を検出するカラーセンサー３１が配置されており、各発光色の発光素子からの光が、レンズ２２と一体の導光部３２により対応するレンズ内から上記カラーセンサー３１に導かれるカラー照明装置の発光素子検出装置３０を構成する。』というものが提案されている（例えば特許文献１参照）。
【０００７】
また、特許文献１には、『上記導光路３２は、各発光色のＬＥＤ２１に対応する個々のレンズ２２の中心側に向いた側面から中心に向かって延びるように透光性材料から形成されており、好ましくは対応するレンズ２２と一体に形成されている。各導光路３２は中心にてその先端が互いに１２０度の角度で突き合わされる。また、下向き４５度だけ傾斜したプリズム部３２ａを備えている。』ことも開示されている。
【先行技術文献】
【特許文献】
【０００８】
【特許文献１】特開２００７−２５７８６４号公報（要約、第６頁〜第７頁、図２）
【発明の概要】
【発明が解決しようとする課題】
【０００９】
上記特許文献１に記載の技術では、上述の導光路の付き合わせの中心がカラーセンサーの中心と一致しており、各発光色のＬＥＤからの光がレンズから導光部内に導かれ、プリズム部で全反射して、カラーセンサーに入射する。このような方式の場合においては、赤、青、緑の各ＬＥＤそれぞれにレンズ、導光路を設ける必要があり、また、赤色ＬＥＤ、青色ＬＥＤ、緑色ＬＥＤからなる１組のモジュールに対して１つのカラーセンサーが必要となるため、多数のＬＥＤを用いるような高出力向けの照明装置にこのような構成を用いることは器具の大型化、複雑化、コスト増大につながり、実用的ではない。従って、スペース的に制約のある小型器具、または多数のＬＥＤを用いる器具には適用が困難である。
【００１０】
本発明は上記のような課題を解決するためになされたもので、単純な構成によりカラーセンサーから複数色のＬＥＤの発光強度を検出し、検出値に基づいてフィードバック制御を行い、点灯後のＬＥＤ温度上昇及び経年劣化により生じる色ずれを抑制し、発光色を一定に保つＬＥＤ照明装置を提供することを目的とする。
【課題を解決するための手段】
【００１１】
本発明に係るＬＥＤ照明装置は、発光色の異なる複数のＬＥＤと、このＬＥＤが実装される基板と、前記ＬＥＤの発光強度を検出する光検出素子と、前記基板を格納する照明装置筐体と、を備え、前記光検出素子は、前記基板の前記ＬＥＤが実装された面と対向する面にその面が前記ＬＥＤの放射方向と反対の方向になるように設けられ、前記基板は、前記光検出素子の設置位置の周囲に形成された少なくとも１つの光透過用スリットを備え、前記照明装置筐体は、前記基板に設けられた前記光検出素子及び前記光透過用スリットが位置する箇所に、光反射用の凹状の窪みを形成したものである。
【発明の効果】
【００１２】
本発明によれば、ＬＥＤを実装する基板の、前記ＬＥＤが実装された面と対向する面に、光検出素子をその面がＬＥＤの放射方向と反対の方向になるように設け、前記基板は、前記光検出素子の設置位置の周囲に形成された少なくとも１つの光透過用スリットを備え、前記照明装置筐体は、前記基板に設けられた前記光検出素子及び前記光透過用スリットが位置する箇所に、光反射用の凹状の窪みを形成したので、外光の影響を受けにくく、ＬＥＤの直接光がカラーセンサーに入射することなく、反射光のみを入射できるので、カラーセンサーが飽和することなく、正しいフィードバック制御が可能となる。また、ＬＥＤを配置した基板と同一基板にカラーセンサーを実装するので、部品点数削減が可能である。
【図面の簡単な説明】
【００１３】
【図１】本発明の実施の形態１におけるＬＥＤ照明装置の全体の電気的構成を示すブロック図である。
【図２】本発明の実施の形態１におけるＬＥＤ照明装置のＬＥＤ光源部１の構成図である。
【図３】本発明の実施の形態２におけるＬＥＤ照明装置のＬＥＤ光源部１の構成図である。
【図４】本発明の実施の形態３におけるＬＥＤ照明装置のＬＥＤ光源部１の構成図である。
【発明を実施するための形態】
【００１４】
実施の形態１．
図１は本発明の実施の形態１におけるＬＥＤ照明装置の全体の電気的構成を示すブロック図である。
図１においてＬＥＤ照明装置はＬＥＤ光源部１と、ＬＥＤ光源部１を駆動する電源回路２と、ＬＥＤ光源部１からの発光強度を検出する光検出部３と、光検出部３の検出信号を受け、電源回路２の出力を制御してＬＥＤの光出力を調整する制御部４と、から構成されている。
【００１５】
次に、各部の機能について説明する。
ＬＥＤ光源部１はここでは赤色、青色、緑色に発光するＬＥＤ１ａ、１ｂ、１ｃを備え、電源回路２より電流の供給を受けて発光する。光検出部３は、カラーセンサー３ａと信号増幅回路３ｂからなり、カラーセンサー３ａは例えば３つのフォトダイオードと赤、青、緑それぞれの波長を選択的に透過させるカラーフィルタを組み合わせて、赤、青、緑それぞれの波長に対して感度をもつように構成し、ＬＥＤ光源部１の発光強度を赤色、青色、緑色それぞれ独立して検出する。信号増幅回路３ｂはカラーセンサー３ａからの信号を増幅する。
なお、カラーセンサー３ａを光検出素子とする。
【００１６】
光検出部３より検出された信号は制御部４に入力され、制御部４により、目標信号値と比較される。制御部４は例えばマイクロコンピュータなどで構成され、目標信号値は、例えば目標とする発光色となるように赤色、青色、緑色のＬＥＤの信号レベルが予め定められ、光検出部３から出力される赤、青、緑の信号レベル（発光強度）が目標の信号レベルとなるようにフィードバック制御が行われる。
【００１７】
フィードバック制御は、例えば制御部４より赤色、青色、緑色ＬＥＤに応じた３ｃｈ分のＰＷＭ信号を出力し、電源回路２はＰＷＭ信号を受けて、パルス幅に応じたＬＥＤ電流をＬＥＤ光源部１に供給し、各ＬＥＤの発光強度が独立して制御され、目標信号レベルに調整される。
【００１８】
このようにして複数色のＬＥＤより、それぞれの波長に応じた光出力を光検出部３より検出し、制御部４で目標信号レベルと比較され、フィードバック制御により目標信号レベルと一致させる方向に各色のＬＥＤへ供給する電流を調整するので、点灯後のＬＥＤ温度上昇及び、経年劣化と共に生じる色ずれを抑制し、発光色を一定に保つことができる。
【００１９】
図２は本発明の実施の形態１におけるＬＥＤ照明装置のＬＥＤ光源部１の構成図である。図２（ａ）はＬＥＤ光源部１の正面図であり図２(ｂ)は図２（ａ）の一点鎖線におけるＡ−Ａ矢視断面図である。
ＬＥＤ光源部１は、ＬＥＤ５と、複数のＬＥＤ５を実装した基板６と、基板６を収める照明装置筐体７と、光を拡散または集光するための透光性カバー８（図２(ａ)では図示せず）からなる。
ＬＥＤ５は一般的な砲弾型や表面実装型などが用いられ、単色のＬＥＤを複数色使用するか、または、１パッケージのなかに複数色のＬＥＤチップを配置した、マルチチップＬＥＤを用いてもよい。基板６はガラスエポキシ樹脂、またはより熱伝導率の高い金属製基板、例えばアルミ基板が望ましい。照明装置筐体７には基板６が取り付けられ、ＬＥＤ５の発熱を効率よく逃がす熱伝導率の高い金属製筐体、例えばアルミニウムが望ましい。また、放熱フィン９を形成しても良い。
【００２０】
ここで、図２(ｂ)に示すように光検出部３に用いられるカラーセンサー３ａは基板６の裏面に配置され、カラーセンサー３ａの受光面はＬＥＤ発光面と反対側の向きに取り付けられる。カラーセンサー３ａが実装された基板６の周辺には光取り入れ用のスリット１１が設けられる。カラーセンサー３ａが配置される部分及びスリット１１が設けられる部分の筐体７は光取り入れのため、凹状の窪み１２が形成される。それ以外のＬＥＤ５が配置される部分はＬＥＤ５からの発熱を効率よく筐体７に逃がすため、基板６と筐体７が密着するような構造となっている。
【００２１】
このような構造とすることにより、ＬＥＤ５から出力された光の大部分は透光性カバー８を介して外部に放出されるが、一部光は透光性カバー８により反射され、スリット１１に入光することとなる。スリット１１に入光した光は更に照明装置筐体７の凹状の窪み１２の底面で反射してカラーセンサー３ａに入射される（図２の矢印）。
【００２２】
一般的に照明用のＬＥＤは高輝度ＬＥＤまたはパワーＬＥＤと呼ばれる非常に輝度レベルの高いＬＥＤが用いられる為、カラーセンサーにＬＥＤの直接光を入力してしまうとカラーセンサーの検出信号が飽和してしまい正しい測定ができない。本方式においてはカラーセンサー３ａを基板６の裏面に配置したのでＬＥＤ５の直接光が入射することなく、反射光のみをカラーセンサー３ａに入力できるので、カラーセンサー３ａが飽和することなく、正しいフィードバック制御が可能となる。ここで、照明装置筐体７の凹状の窪み１２の光が反射する面においては、ＬＥＤ５からの反射光を適切にカラーセンサー３ａに集光するように光学的設計がなされている。また、この凹状の窪み１２に反射部材を設け、カラーセンサー３ａにＬＥＤ５の反射光を集光しても良い（図示せず）。
【００２３】
外光の影響に対しては、カラーセンサー３ａが基板６の裏面に設けられているので、直接外光がカラーセンサー３ａに入射し難く、正しくＬＥＤ５の光を検出できるため、フィードバック制御の誤動作を抑制することができる。 
【００２４】
以上のようにカラーセンサー３ａをＬＥＤ５が実装された基板６の裏面に配置し、カラーセンサー３ａの周囲に光取り入れ用スリット１１を基板６に設け、照明装置筐体７に凹状の窪み１２を形成したので、外光の影響を受けにくく、ＬＥＤ５の直接光がカラーセンサー３ａに入射することなく、反射光のみを入力できるので、カラーセンサー３ａが飽和することなく、正しいフィードバック制御が可能となる。また、カラーセンサー３ａを、ＬＥＤ５を配置した基板６と同一基板に実装するので、部品点数削減が可能である。
【００２５】
従って、単純な構成により器具の小型化を達成でき、スペース的に制約のある小型器具に適用が可能となる。また、カラーセンサー３ａから複数色のＬＥＤの発光強度を検出し、検出値に基づいてフィードバック制御を行うので、点灯後のＬＥＤ温度上昇及び経年劣化により生じる色ずれを抑制し、発光色を一定に保つＬＥＤ照明装置を提供することができる。
【００２６】
実施の形態２．
図３は本発明の実施の形態２におけるＬＥＤ照明装置のＬＥＤ光源部１の構成図である。図３（ｂ）はＬＥＤ光源部１の正面図であり、図３(ａ)はＬＥＤ光源部１の正面図であり、図３(ｂ)は図３(ａ)の一点鎖線におけるＢ−Ｂ矢視断面図である。
なお、ＬＥＤ照明装置の基本的構成及び基本的動作については実施の形態１で述べた図１に示すものと同様であるため、説明を省略する。また、同一の構成要素には同じ符号を付与する。
光源部１は、ＬＥＤ５と、複数のＬＥＤ５を実装した基板６と、基板６を収める照明装置筐体７と、光を拡散または集光するための透光性カバー８（図３(ａ)では図示せず）と、照明装置筐体７の端部に遮光性のあるソケット１３が設けられている。
【００２７】
ＬＥＤ５は一般的な砲弾型や表面実装型などが用いられ、単色のＬＥＤを複数色使用するか、または、１パッケージのなかに複数色のＬＥＤチップを配置した、マルチチップＬＥＤを用いてもよい。基板６はガラスエポキシ樹脂、またはより熱伝導率の高い金属製基板、例えばアルミ基板が望ましい。照明装置筐体７には基板６が取り付けられ、ＬＥＤ５の発熱を効率よく逃がす熱伝導率の高い金属製筐体、例えばアルミニウムが望ましい。また、フィン形状としてもよい。ソケット１３は外部からの光を遮断する遮光性のある素材が用いられ、例えば電源接続用端子、コネクタ、コード等を設け、基板６と電源回路２を接続、または、光源部１を連結するような用途に用いてもよい（図示せず）。
【００２８】
ここで、図３(a)に示すように光検出部３に用いられるカラーセンサー３ａは照明装置筐体７の端部に設けられた遮光性のあるソケット１３内に位置する基板６上に設けられる。カラーセンサー３ａの受光面はＬＥＤ５の発光面と同一の向きに配置されている。
このような構造とすることにより、ＬＥＤ５から出力された光の大部分は透光性カバー８を介して外部に放出されるが、一部の光は透光性カバー８により反射され、照明装置筐体７の内部を伝播してカラーセンサー３ａに入射される（図中の矢印）。
【００２９】
カラーセンサー３ａに高輝度ＬＥＤまたはパワーＬＥＤの直接光を入力してしまうとカラーセンサー３ａが飽和してしまい正しい測定ができない。本方式においては遮光性のあるソケット１３を照明装置筐体７の端部に設け、このソケット１３の内部に位置する基板６にカラーセンサー３ａを設けたので、実施の形態1で示したような、基板裏面にカラーセンサー３ａを配置することができない場合においても、ＬＥＤ５の直接光がカラーセンサー３ａに入射することなく、照明装置筐体７の内部を伝播するＬＥＤ５の反射光のみをカラーセンサー３ａに入力できるので、カラーセンサー３ａが飽和することなく、正しいフィードバック制御が可能となる。
【００３０】
ここで、ソケット１３の内部はカラーセンサー３ａに効率よく光を集光させるため、ソケット１３の内部に反射板を設ける、あるいはソケット１３の内部の壁面にメッキ処理、又はこれに類する加工を施すことにより、効率よくカラーセンサー３ａに光を入射させることができる（図示せず）。ここで、カラーセンサー３ａは、遮光部内の、基板６のＬＥＤが実装される面とほぼ垂直に設置され、図３(ｃ)に示すようにカラーセンサー３ａの受光面を器具の内側方向（即ちＬＥＤ側）に向けて設置しても良い。また、長尺の照明装置を構築する場合は図に示すように左右両サイドに遮光性を有するソケット１３とカラーセンサー３ａを設けて、例えば左右独立してフィードバック制御を行っても良い。
【００３１】
外光に対しては照明装置端部に設けたソケット１３が遮光性を有するため、外光が直接カラーセンサー３ａに入射し難い構成となっており、正しくＬＥＤ５の光を検出するためフィードバック制御の誤動作を抑制することができる。 
【００３２】
また、図３(ｄ)に示すように、カラーセンサー３ａをソケット１３内の基板６対面する方向に受光面を向けた位置に設ける、即ちＬＥＤ実装面が上向きの基板６と対面するように受光面を下向きにしてカラーセンサー３ａをソケット１３の天井面に設ければ、カラーセンサー３ａは外光が入射する方向と逆向きに受光面が向くことになるので、より外光を入射し難い構成を構築することができる。このとき、カラーセンサー３ａからの検出信号取り出しはフレキシブルな素材で構成されたフレキシブル基板１４等を用いることにより容易に基板６と接続できる。
【００３３】
以上のように照明装置筐体７の端部に遮光性のあるソケット１３を設け、光検出部３に用いられるカラーセンサー３ａをソケット１３の内部に設けたので、実施の形態1で示したような、基板６の裏面にカラーセンサー３ａを配置することができない場合においても、外光からの影響を受けにくく、ＬＥＤ５の直接光がカラーセンサー３ａに入射し難く、反射光のみを入射できるので、カラーセンサー３ａが飽和することなく、正しいフィードバック制御が可能となる。また、カラーセンサー３ａを基板６と同一の基板に実装するので、部品点数の削減が可能である。
【００３４】
従って、単純な構成により器具の小型化を達成でき、スペース的に制約のある小型器具、例えばライン形状の照明器具等に適用が可能となり、カラーセンサー３ａから複数色のＬＥＤの発光強度を検出し、検出値に基づいてフィードバック制御を行うので、点灯後のＬＥＤ温度上昇及び経年劣化により生じる色ずれを抑制し、発光色を一定に保つＬＥＤ照明装置を提供することができる。
【００３５】
実施の形態３．
図４は本発明の実施の形態３におけるＬＥＤ照明装置のＬＥＤ光源部１の構成図である。図４（ａ）はＬＥＤ光源部１の正面図であり、図４(ｂ)は図４（ａ）の一点鎖線におけるＣ−Ｃ矢視断面図である。なお、ＬＥＤ照明装置の基本的構成及び基本的動作については実施の形態１で述べた図１に示すものと同様であるため、説明を省略する。また、同一の構成要素には同じ符号を付与する。光源部１は、ＬＥＤ５と、複数のＬＥＤ５を実装した基板６と、基板６を収める照明装置筐体７と、光を拡散または集光するための透光性カバー８（図４(ａ)では図示せず）からなる。 なお、図４(ａ)では照明装置筐体７の一部（リフレクター７ａ）は図示していない。
【００３６】
ＬＥＤ５は一般的な砲弾型や表面実装型などが用いられ、単色のＬＥＤを複数色使用するか、または、１パッケージのなかに複数色のＬＥＤチップを配置した、マルチチップＬＥＤを用いてもよい。基板６はガラスエポキシ樹脂、またはより熱伝導率の高い金属製基板、例えばアルミ基板が望ましい。照明装置筐体７には基板６が取り付けられ、ＬＥＤの発熱を効率よく逃がす熱伝導率の高い金属製筐体、例えばアルミニウムが望ましい。また、放熱フィン９を形成しても良い。
【００３７】
光検出部３に用いられるカラーセンサー３ａは円形の基板６の外周に沿って配置される。これは、例えば発光面の広い大型の照明器具においては、１つのカラーセンサー３ａのみでフィードバック制御を行うことは困難であるので、例えば発光面を複数のエリアに分け、各エリア毎にカラーセンサー３ａを設けて、各エリアを独立してフィードバック制御を行う。そこで、本実施例では、基板６の外周に４つのカラーセンサー３ａを設けた。そして、照明装置筐体７を、基板６の外周に設けられたカラーセンサー３ａの受光面を覆うような形状７ｂとしている。
このような構造とすることにより、ＬＥＤ５から出力された光の大部分は透光性カバー８を介して外部に放出されるが、一部光は透光性カバー８を反射、及び照明装置筐体７の内部を伝播し、カラーセンサー３ａに入射される。ここで、カラーセンサー３ａの受光面は図４(ｃ)に示すように器具の内側方向に向けて設置しても良い。
【００３８】
カラーセンサー３ａに高輝度ＬＥＤまたはパワーＬＥＤの直接光を入力してしまうとカラーセンサー３ａが飽和してしまい正しい測定ができないため、本方式においてはＬＥＤ５より出力される光は透光性カバー８及び照明装置筐体７の内部を伝播し、ＬＥＤ５の直接光がカラーセンサー３ａに入射することなく、反射光のみ入射できるので、カラーセンサー３ａが飽和することなく、正しいフィードバック制御が可能となる。ここで、照明装置筐体７のカラーセンサー３ａを覆うような形状７ｂの内側はＬＥＤ５の光が反射する面となるので、反射板を設けて効率よくカラーセンサー３ａに光を入射することができる（図示せず）。
【００３９】
また、外光に対しては照明装置筐体７のカラーセンサー３ａを覆うような形状７ｂにより外光が直接カラーセンサー３ａに入射し難い構成となっているため、フィードバック制御の誤動作を抑制することができる。 
【００４０】
図４(ｄ)に示すように、基板６と対面する位置にカラーセンサー３ａを設ければ、カラーセンサー３ａは外光が入射する方向と逆向きに受光面が向くことになるので、より外光に強い構成を構築することができる。このとき、カラーセンサー３ａからの検出信号取り出しはフレキシブル基板１４等を用いることにより容易に基板６と接続できる。
【００４１】
以上のようにカラーセンサー３ａを円形の基板６の外周に沿って配置し、照明装置筐体７は基板６の外周に設けられたカラーセンサー３ａを覆うような形状７ｂとしているので、発光面の広い大型器具において、例えば複数のカラーセンサー３ａを配置して、複数エリアを独立してフィードバック制御する場合でも、外光からの影響を受けにくく、かつ反射光のみをカラーセンサー３ａに入力できるので、カラーセンサー３ａが飽和することなく、正しいフィードバック制御が可能となる。また、カラーセンサー３ａはＬＥＤ５を実装した基板６と同一基板に実装できるので、部品点数削減が可能である。
【００４２】
従って、単純な構成により部品点数を減らし、器具の小型化・軽量化を達成でき、カラーセンサーから複数色のＬＥＤの発光強度を検出し、検出値に基づいてフィードバック制御を行い、点灯後の温度上昇及び経年劣化により生じる色ずれを抑制し、発光色を一定に保つＬＥＤ照明装置を提供することができる。
【符号の説明】
【００４３】
１  ＬＥＤ光源部、２  電源回路、３  光検出部、３ａ  カラーセンサー、４  制御部、５  ＬＥＤ、６  基板、７  照明装置筐体、７ａ  リフレクター、８  透光性カバー、９  放熱フィン、１１  スリット、１２  凹状窪み、１３  遮光ソケット、１４  フレキシブル基板。
【図１】
2010262868.tif 000003
【図２】
2010262868.tif 000004
【図３】
2010262868.tif 000005
【図４】
2010262868.tif 000006